(57)【要約】【課題】果実の下方部分まで充分に光線を採り入れてきれいに着色できるような二重果実掛袋を提供しようとする。【解決手段】上方に開口し底部を有する遮光性を有する外袋２の中に、上下に開口し側部に拡開可能な折込部１３を形成した透光性を有する内袋３の下方を中間部まで挿入して収納する。上記外袋２にはその上端縁８から下方に延びて再び上端縁に至る不連続切線９によって上方接着片１０を形成し、この上方接着片１０を上記内袋３に接着して外袋２と内袋３を一体化して二重果実掛袋１とする。上記した内袋３の折込部の区帯１４及び折込部以外の区帯１５には、その下端縁１６から上方に向かって切込線１７，１８を形成している。外袋２を取除いたとき、上記切込線１７，１８によって内袋３の下方は多数の短冊状に分かれて暖簾状に拡がるようになり、光を採り入れることができる。【選択図】図１
0003190382.tif 000002
【実用新案登録請求の範囲】
【請求項１】
上方に開口し底部の一部に排水口を設けて閉じた遮光性を有する外袋内に、上下に開口し側部に拡開可能な折込部を形成した透光性を有する内袋の下方を該外袋の中間部まで挿入して収納し、該外袋の上端縁から下方に延びて再び該上端縁に至る不連続切線で形成した上方接着片を設け、該上方接着片を上記内袋に接着して外袋と内袋を一体化し、上記内袋の折込部及び折込部以外の区帯に内袋の下端縁から上方に向かって切込線を形成した二重果実掛袋。
【請求項２】
上記内袋の折込部以外の区帯にその下端縁から不連続切線を介して下方接着片を設け、該下方接着片を上記外袋の下部に接着した請求項１に記載の二重果実掛袋。
【請求項３】
上記外袋の上端縁より上方に露出している該内袋の開口上縁中央部に果樹の枝を挿入するための挿入切欠部を設けた請求項１または２に記載の二重果実掛袋。
【請求項４】
上記内袋の上部の一側部には、果実に結束するための止金を設けている請求項１〜３のいずれかに記載の二重果実掛袋。
【考案の詳細な説明】
【技術分野】
【０００１】
本考案は、内袋と外袋を有する二重果実掛袋に関する。
【背景技術】
【０００２】
出願人は、これ迄に桃等の栽培において用いられる果実掛袋として、上方に開口し底部を閉じた遮光性の外袋内に、上下に開口し側部に拡開可能な折込部を形成した透光性を有する内袋の下方を該外袋の中間部まで挿入して収納し、上記外袋にその上端縁から下方に延びて再び上端縁に至る不連続切線で形成した上方接着片を設け、この上方接着片と上記内袋を接着し、上記内袋の折込部以外の部分にその下端部から上方に入り込み再び該下端部に至る不連続切線を設けて下方接着片を形成し、該下方接着片を上記外袋の下部に接着した二重果実掛袋を提供してきた（特許文献１）。
【０００３】
この二重果実掛袋は、栽培初期において外袋と内袋を確実に一体化しておくことができ、この外袋を引き剥がすと上方接着片及び下方接着片の不連続切線が切離され、それに伴って内袋の下端部より上方に入り込んだ切欠凹部が形成される。この切欠凹部を介して光が果実の下方に照射されるので、果実全体を内袋で保護しつつ、果実の下方まできれいに着色することができるという利点を有していて効果を挙げてきた。
【先行技術文献】
【特許文献】
【０００４】
【特許文献１】特開２００９−１２４９５６号公報
【考案の概要】
【考案が解決しようとする課題】
【０００５】
本考案は、二重果実掛袋を更に改良し、栽培初期においては内外の二重袋によって果実を確実に保護し、外袋を取り外した後においては、内袋によって果実を保護すると共に収穫時には、従来色づきにくかった果実の下方部分まで更に充分に光線を採り入れてきれいに着色することができるようにし、また、その成熟度合を容易に視認することができるようにしようとするものである。
【課題を解決するための手段】
【０００６】
本考案においては、上方に開口し底部の一部に排水口を設けて閉じた遮光性を有する外袋を形成し、その中に上下に開口し側部に拡開可能な折込部を形成した透光性を有する内袋の下方を上記外袋の中間部まで挿入して収納する。上記外袋にはその上端縁から下方に延びて再び上端縁に至る不連続切線によって上方接着片を形成し、この上方接着片を上記内袋に接着して外袋と内袋を一体化して二重果実掛袋とする。そして、上記した内袋の折込部の区帯及び折込部以外の区帯には、この内袋の下端縁から上方に向かって切込線を形成しておくものである。
また、更に上記内袋の折込部以外の区帯には、その下端縁から不連続切線を介して下方接着片を形成し、この下方接着片を上記外袋の下部に接着した二重果実掛袋とするものである。
【考案の効果】
【０００７】
本考案によれば、上記したように、内袋が外袋に形成した上方接着片と接着されているので、栽培初期において外袋と内袋を確実に一体化しておくことができ、この外袋を引き剥がすと外袋の上方接着片を形成している不連続切線が切離される。この内袋の側部に設けた折込部及び折込部以外の部分には、その下端縁から上方に向かって切込線が形成されているので、内袋の下方部は多数の短冊状に分かれて暖簾状態に拡がるようになり、これによって果実の下方部分も照射されるように光を採り入れることができるので、果実を内袋で保護しつつ果実の下方まできれいに着色することができる。また、内袋内の果実の生育、着色状態を側方から容易に視認することができる。
【図面の簡単な説明】
【０００８】
【図１】本考案の実施例を示す斜視図である。
【図２】図１に示すものの正面図である。
【図３】図１に示すものの少し拡げた状態の横断面図である。
【図４】図１の内袋の正面図である。
【図５】図１に示すものの使用状態を示す斜視図である。
【考案を実施するための形態】
【０００９】
本考案の実施例について述べれば、図示するように、二重果実掛袋１は遮光性を有する外袋２内に、透光性を有する内袋３の下部が収納された二重構造になっている。上記外袋２は、略長方形状の紙片を折曲線４で折り曲げ、側方の貼着片５とで貼着して筒状とし、下方貼着部６で貼着して底部の両側に排水口７を設けた有底の袋状に形成されている。
【００１０】
この外袋２には、その上端縁８から下方に延びて再び上端縁８に至る不連続切線９が設けられ、これによって上方接着片１０が切離し可能に形成されている。図示するものでは、不連続切線が、上端縁８から下方に延びる切裂き線１１と、該切裂き線１１の下端部から上端縁８まで傾斜して延びる切込線１２によって形成されている。図において、上方接着片は略三角形状に形成されているが、略四角形状、略扇形状など適宜の形状に形成することができ、また、不連続切線はミシン線その他の適宜の態様に形成することができる。
【００１１】
上記内袋３は、上下に開口し、上記外袋２より幅広の筒状体とされ、その両側部には拡開可能な折込部１３を設けて幅を狭くし、外袋２内に挿入されている。この内袋３の下部の折込部の区帯１４と折込部以外の区帯１５には、内袋の下端部１６から上方に向かって切込線１７，１８を形成している。
上記した外袋２に設けた上方接着片１０は、外袋内に挿入されている上記内袋３の外面に接着１９され、外袋２と内袋３は一体化される。
【００１２】
図示のものでは、内袋３の正面及び背面の折込部以外の区帯１５の下端部には、不連続切線２１を介して下方接着片２２が切取り可能に設けられており、この不連続切線２１は上方に入り込むような弧状を為していて下方接着片が略半楕円形状に表われているが、不連続切線を介して下方接着片２２を形成するには、略半円形状、略三角形状、略楕円形状、略四角形状などの適宜形状に形成することができるし、下方に突出するように形成することもできる。また、図示のものでは、表面側と裏面側が同じ形状にされているが、必ずしも同じような形状に形成しなくてもよい。
上記挿入された内袋３に設けた下方接着片２２は、外袋２の内面に接着２５され、外袋２と内袋３は更に一体化される。
【００１３】
また、図示の内袋３では、開口上縁部２３の中央部には、桃栽培における場合のように果樹の枝を挿入するため略Ｖ字状の挿入切欠部２４が形成されている。この挿入切欠部２４の形状は、略Ｕ字状、略半円状など、果樹の枝を挿入することができる適宜の形状に形成することができる。果樹の種類によってはこの挿入切欠部２４を設けないことがある。
【００１４】
図示する二重果実掛袋１を桃の栽培において使用する場合を例にして説明すると、果実３１を二重果実掛袋１内に収納し、内袋３の上記挿入切欠部２４に果実の枝３２を挿入して、内袋３の一側部に設けた止金２６で結束して取り付ける。取り付けられた二重果実掛袋１は、外袋２と内袋３が、外袋２の表裏に形成された上方接着片１０で接着１９されており、生育過程にある果実３１を確実に保護することができる。また、内袋３の下方の表裏に下方接着片２２が形成され接着２５されたものは、更に丈夫で少々の風が吹いても外袋が簡単に剥がれるようなことがない。
【００１５】
果実３１はこうして外袋２により遮光された状態で成長して行くが、内袋３の外側には外袋２があるので、内袋３は果実３１の肥大に伴って果実の表面に沿うように球面状になって行く。果実３１が更に肥大して行って栽培終期に差し掛かったとき、外袋２を持って引っ張ると、上記上方接着片１０を形成している不連続切線９が切り離され、また、上記下方接着片２２があるものでは不連続切線２１も切り離されて、外袋２が取り除かれる。
【００１６】
この場合、図示の外袋２では、果実の肥大に伴って外袋２の上下方向に設けたミシン線などの切取線２７の上部が切れることも多く、これを手掛りとして切取線２７を破れば外袋の取り外しが一層容易に行えることもある。
【００１７】
そして、この外袋２が剥ぎ取られた際に内袋３の下部の折込部の区帯１４及び折込部以外の区帯１５に設けられている切込線１７，１８によって、内袋の下方部は多数の短冊状に分かれて暖簾状に拡がるようになり、これによって果実の下方も光を採り入れて照射されるようになるので、果実を上部から内袋で覆って保護しつつ、果実の下方まできれいに着色し、全体の色付きを良くして品質優良なものとすることができる。また、内袋内の果実の生育、着色状態を容易に側方から視認することができる。
【符号の説明】
【００１８】
１    二重果実掛袋
２    外袋
３    内袋
６    下方貼着部
９    不連続切線
１０  上方接着片
１３  折込部
１４  折込部の区帯
１５  折込部以外の区帯
１６  内袋の下端縁
１７，１８  切込線
２１  不連続切線
２２  下方接着片
３１  果実
３２  枝
【図１】
0003190382.tif 000003
【図２】
0003190382.tif 000004
【図３】
0003190382.tif 000005
【図４】
0003190382.tif 000006
【図５】
0003190382.tif 000007